(57)【要約】【課題】設計の自由度を高く維持しつつ、回路部品の確実な固定により高い振動耐性を実現可能であり、かつ、軽量化が容易である、動作安定性に優れたインバータ一体型電動圧縮機を低コストで提供する。【解決手段】モータが内蔵され、インバータを含むモータ駆動回路が設けられた基板を有するインバータ一体型電動圧縮機であって、基板を含む電気部品が圧縮機ハウジングで囲まれた収容空間内に固定され、組立完了後に、収容空間内に絶縁用樹脂が充填され、電気部品の少なくとも一部が固化された充填樹脂により密封されるインバータ一体型電動圧縮機において、基板上に備えられた回路部品の外形に沿って凹状に成形された凹部を備えた凹状保持部と、凹状保持部に設けられた通気孔とを有する樹脂フレームを、基板上に装着し、基板上の回路部品と樹脂フレームとの間に、樹脂を充填可能な樹脂封入用空間を形成したことを特徴とするインバータ一体型電動圧縮機。【選択図】図２
2010133400.tif 000002
【特許請求の範囲】
【請求項１】
モータが内蔵され、インバータを含むモータ駆動回路が設けられた基板を有するインバータ一体型電動圧縮機であって、前記基板を含む電気部品が圧縮機ハウジングで囲まれた収容空間内に固定され、組立完了後に、前記収容空間内に絶縁用樹脂が充填され、前記電気部品の少なくとも一部が固化された充填樹脂により密封されるインバータ一体型電動圧縮機において、前記基板上に備えられた回路部品の外形に沿って凹状に成形された凹部を備えた凹状保持部と、該凹状保持部に設けられた通気孔とを有する樹脂フレームを、前記基板上に装着し、該基板上の回路部品と前記樹脂フレームとの間に、樹脂を充填可能な樹脂封入用空間を形成したことを特徴とするインバータ一体型電動圧縮機。
【請求項２】
前記凹部は、前記通気孔周りに、前記通気孔に近づくほど前記樹脂封入用空間を縮小させるテーパ状部を有する、請求項１に記載のインバータ一体型電動圧縮機。
【請求項３】
前記凹部が、実質的に前記基板上の回路部品ごとの外形に対応させて形成されている、請求項１または２に記載のインバータ一体型電動圧縮機。
【請求項４】
前記収容空間内への絶縁用樹脂の充填とともに、該絶縁用樹脂の前記樹脂封入用空間内への充填が行われている、請求項１〜３のいずれかに記載のインバータ一体型電動圧縮機。
【請求項５】
前記樹脂封入用空間内に接着用樹脂が充填された後に、前記収容空間内への前記絶縁用樹脂の充填が行われている、請求項１〜３のいずれかに記載のインバータ一体型電動圧縮機。
【請求項６】
接着用樹脂注入器具の位置決め用の孔が前記樹脂フレームに設けられている、請求項５に記載のインバータ一体型電動圧縮機。
【請求項７】
前記樹脂フレームに樹脂注入孔が設けられている、請求項１〜６のいずれかに記載のインバータ一体型電動圧縮機。
【請求項８】
複数の凹部のそれぞれに前記樹脂注入孔が設けられている、請求項７に記載のインバータ一体型電動圧縮機。
【請求項９】
前記凹部は、前記樹脂注入孔周りに、前記樹脂注入孔に近づくほど前記樹脂封入用空間を縮小させるテーパ状部を有する、請求項７または８に記載のインバータ一体型電動圧縮機。
【請求項１０】
前記基板上に装着された前記樹脂フレームが基板に対して締結により固定されている、請求項１〜９のいずれかに記載のインバータ一体型電動圧縮機。
【請求項１１】
車両に搭載される圧縮機からなる、請求項１〜１０のいずれかに記載のインバータ一体型電動圧縮機。
【請求項１２】
車両空調装置用の圧縮機からなる、請求項１１に記載のインバータ一体型電動圧縮機。
【発明の詳細な説明】
【技術分野】
【０００１】
本発明は、インバータ一体型電動圧縮機に関し、とくに、設計の自由度を高く維持しつつ、回路部品の確実な固定を低コストで実現可能であり、耐振性が高く動作安定性に優れたインバータ一体型電動圧縮機に関する。
【背景技術】
【０００２】
インバータ等を含むモータ駆動回路を内蔵した電動圧縮機の構造として、モータ駆動回路が絶縁用樹脂モールド材によって被覆され、該樹脂モールド材中に埋設されるようにした構造が知られている（例えば、特許文献１）。
【０００３】
また、上蓋と圧縮機ハウジングとの間に配置されたパワー半導体モジュールを、加熱流動状態となった絶縁用の合成樹脂等を流し込むことによって、被覆・埋設するようにした構造も知られている（例えば、特許文献２）。この特許文献２に記載の構造では、パワー半導体モジュール等の電気部品を収容した室の全体が樹脂モールド材で満たされるようになっている。
【先行技術文献】
【特許文献】
【０００４】
【特許文献１】特開２００２−７０７４３号公報
【特許文献２】特開平４−８０５５４号公報
【発明の概要】
【発明が解決しようとする課題】
【０００５】
しかしながら、上記のような従来構造においては、電気部品を実質的に被覆樹脂のみで固定しているため、十分な固定力を確保することが難しく、圧縮機の稼動時において、長期間にわたる振動や高温領域における被覆樹脂の硬度の低下等により被覆樹脂の固定力が低下し、電気部品の配置に望ましくないずれが生じるおそれを払拭することが困難であった。また、例えば、インバータ一体型電動圧縮機において、インバータ機能の向上のためにコンデンサ等の電気部品が大型化された場合も、被覆樹脂の厚みが実質的に低下し、十分な固定力を確保することが難しくなるという問題があった。
【０００６】
さらに、モータ駆動回路等を実質的に埋設する構造であるため、充填もしくは被覆樹脂量が多くなり、その分、電動圧縮機全体としての軽量化やコストダウンを阻害することともなっている。とくに、車両用空調装置等に用いられる電動圧縮機においては、可能な限り、軽量化やコストダウンを図ることが求められている。
【０００７】
そこで本発明の課題は、設計の自由度を高く維持しつつ、回路部品の確実な固定により高い耐振性を実現可能であり、軽量化が容易な、動作安定性に優れたインバータ一体型電動圧縮機を低コストで提供することにある。
【課題を解決するための手段】
【０００８】
上記課題を解決するために、本発明に係るインバータ一体型電動圧縮機は、モータが内蔵され、インバータを含むモータ駆動回路が設けられた基板を有するインバータ一体型電動圧縮機であって、前記基板を含む電気部品が圧縮機ハウジングで囲まれた収容空間内に固定され、組立完了後に、前記収容空間内に絶縁用樹脂が充填され、前記電気部品の少なくとも一部が固化された充填樹脂により密封されるインバータ一体型電動圧縮機において、前記基板上に備えられた回路部品の外形に沿って凹状に成形された凹部を備えた凹状保持部と、該凹状保持部に設けられた通気孔とを有する樹脂フレームを、前記基板上に装着し、該基板上の回路部品と前記樹脂フレームとの間に、樹脂を充填可能な樹脂封入用空間を形成したことを特徴とするものからなる。
【０００９】
このようなインバータ一体型電動圧縮機においては、基板上の回路部品の周囲に形成された樹脂封入用空間への樹脂充填によって回路部品の振動が防止され、かつ、樹脂封入用空間の外周を被覆する樹脂フレームが基板に装着されているので、樹脂封入用空間に充填され固化された樹脂およびその樹脂で覆われた回路部品が、樹脂フレームによって確実に固定され、振動が効果的に防止される。また、樹脂フレーム内に形成される樹脂封入用空間の厚みは、従来技術において、樹脂フレームを用いることなく、回路部品が実質的に単一の樹脂のみにより埋設され被覆される場合と比較して、非常に薄くすることが可能であるため、樹脂材料の物性の変化（例えば、高温領域における被覆樹脂の硬度の低下等）による影響を最小限に抑えることができ、さまざまな動作条件下において、回路部品の固定力を十分に確保し維持することが可能となる。したがって、圧縮機が長期間稼動される場合においても、電気部品の配置に望ましくないずれが生じる可能性が確実に抑制され、振動に起因する不具合が効果的に防止されることとなり、動作安定性に優れた圧縮機が実現可能となる。
【００１０】
また、樹脂からなる部材は加工性に優れており、様々な形状へと容易に成形可能であるので、既存の回路部品の外形に対応した樹脂フレームの製造は低コストで容易に可能であり、本発明の適用においては、圧縮機の設計の自由度を従来の樹脂フレームを設置しない場合とほぼ同様の高い水準に維持することができる。さらに、コンデンサ等の回路部品が大型化された場合においても対応は容易であり、回路部品の固定力を十分に確保することが可能となる。
【００１１】
さらに、樹脂フレームに設けられた通気孔により、樹脂封入用空間への樹脂充填時における樹脂内での気泡の発生および残留が防止され、回路部品の固定がより確実に達成される。
【００１２】
また、本発明においては、樹脂フレームの材質として絶縁用樹脂よりも密度の低い樹脂を用いることにより、圧縮機の軽量化が達成可能である。上述の如く、樹脂フレームは加工性に優れているので、低密度樹脂からなる樹脂フレームの厚みを増加させることなどによって絶縁用樹脂の注入量の低減を達成し、さらなる圧縮機の軽量化を実現することも容易に可能である。
【００１３】
上述の凹部は、とくに限定されないが、実質的に基板上の回路部品ごとの外形に対応させて形成されていることが好ましい。回路部品の周囲に充填される樹脂層の厚みが不均一であった場合、樹脂層の物性の変化（例えば、温度上昇に起因する硬度や膨張率の変化等）により回路部品に不均一な力が加わり、回路部品の配置に予期せぬ微小なずれが生じる可能性がある。一方、凹部が回路部品ごとの外形に対応させて形成されている場合、樹脂層の厚みはほぼ均一となるため、上記のずれは最小限に抑えられ、樹脂層による回路部品の固定力が高温領域においても安定して維持される。
【００１４】
また、前記凹部は、前記通気孔周りに、前記通気孔に近づくほど前記樹脂封入用空間を縮小させるテーパ状部を有することが好ましい。このように、通気孔周りの内面にテーパ状の窪みが形成されることにより、通気孔近傍において樹脂封入用空間の横断面積が通気孔に近づくほど狭くなるので、凹部内の樹脂封入用空間に樹脂が充填される際に空気等のガスが通気孔に導かれやすくなり、樹脂内に気泡が残留しにくい構造が実現可能となる。とくに、通気孔が凹部の上底面に形成される場合には、樹脂内に存在する気泡が浮力によって樹脂外部に浮上させることができるので、樹脂内における気泡の残留をより効果的に防止可能である。なお、すべての凹部に対して上記テーパ状部を形成するのではなく、例えば、アルミ電解コンデンサの外形に対応して形成された凹部に対してのみ、上記テーパ状部を形成してもよい。アルミ電解コンデンサのような、基板上の設置高さが比較的大きいため凹部に気泡が残留しやすい回路部品についてのみ、上記テーパ状部を形成することにより、気泡残留防止のための加工を効率的に行うことが可能となる。
【００１５】
上記の樹脂封入用空間へ充填される樹脂の種類はとくに限定されず、収容空間内に充填される絶縁用樹脂と同一であってもよいし、異なる種類の樹脂が用いられてもよい。樹脂封入用空間および収容空間において同一の樹脂が用いられる場合、工数および製造コストの削減の観点から、絶縁用樹脂の樹脂封入用空間内への充填は、収容空間内への絶縁用樹脂の充填とともに行なわれることが好ましい。
【００１６】
また、絶縁用樹脂と異なる種類の樹脂が用いられる場合、樹脂封入用空間へ充填される樹脂の種類は、とくに限定されないが、接着用樹脂（例えば、接着剤など）であることが好ましく、絶縁不良によるショート等の不具合から基板上の回路部品を保護可能な程度の絶縁性を有する接着用樹脂であることが、とくに好ましい。ここで接着用樹脂とは、収容空間内に充填される絶縁用樹脂と比較して、高温領域における硬度の低下が緩やかな樹脂を意味するものとする。このような樹脂は硬度の変化が小さいため、高温時における回路部品の固定力が絶縁用樹脂と比較して高い水準に維持され、圧縮機の動作安定性の向上が達成可能となる。なお、この接着用樹脂の樹脂封入用空間内への充填は、絶縁用樹脂が収容空間内へ充填される前に行われることが好ましい。
【００１７】
上述の如く、樹脂封入用空間へ接着用樹脂が充填される場合、とくに限定されないが、上記樹脂フレームには接着用樹脂注入器具の位置決め用の孔が設けられていることが好ましい。ここで、位置決め用の孔は、接着用樹脂注入器具の所定位置への設置が速やかに行われるべく構成されていればよく、必ずしも樹脂フレームを貫通している必要はない。例えば、位置決め用の孔は、接着用樹脂注入器具の樹脂フレームへの当接部位の形状に応じて樹脂フレームの表面に形成された、少なくとも一つの凹状の窪みであってもよい。このような位置決め用の孔により、接着用樹脂の充填が容易となり、圧縮機の製造工程に要する時間が短縮される。
【００１８】
上記の樹脂フレームには、とくに限定されないが、樹脂注入孔が設けられていることが好ましい。また、凹部が複数設けられている場合は、複数の凹部のそれぞれに樹脂注入孔が設けられていることがとくに好ましい。このような樹脂注入孔により、樹脂封入用空間内へ樹脂を隙間なく充填することが容易となり、回路部品の固定がより確実に達成される。なお、この樹脂注入孔は上述の通気孔と同一の孔であってもよいし、異なる孔であってもよい。
【００１９】
樹脂注入孔が通気孔と異なる孔として形成される場合においても、通気孔の場合と同様に、前記樹脂注入孔周りに、前記樹脂注入孔に近づくほど前記樹脂封入用空間を縮小させるテーパ状部を有することが好ましい。このように、樹脂注入孔周りの内面にテーパ状の窪みが形成されることにより、樹脂注入孔近傍において樹脂封入用空間の横断面積が樹脂注入孔に近づくほど狭くなるので、凹部内の樹脂封入用空間に樹脂が充填される際に空気等のガスが樹脂注入孔に導かれやすくなり、樹脂内に気泡が残留しにくい構造が実現可能となる。とくに、樹脂注入孔が凹部の上底面に形成される場合には、樹脂内に存在する気泡が浮力によって樹脂外部に浮上させることができるので、樹脂内における気泡の残留をより効果的に防止可能である。
【００２０】
本発明に係る樹脂フレームは、とくに限定されないが、基板に対して締結により固定された状態にて、基板上に装着されることが好ましい。樹脂フレームが基板に対して締結されることにより、樹脂封入用空間内もしくは収容空間内への樹脂充填時における樹脂フレームの所定位置からのずれの発生が防止され、そのようなずれに起因する樹脂内での気泡の発生や充填漏れが防止され、回路部品の固定が確実に達成される。
【００２１】
本発明に係るインバータ一体型電動圧縮機の用途はとくに限定されないが、設計の自由度を高く維持しつつ、回路部品の確実な固定を低コストで実現可能であることから、高い耐振性が要求され、設置スペースの要求水準が厳しい車両搭載用圧縮機に用いられて好適なものであり、とくに、車両空調装置用の圧縮機として用いられて好適なものである。
【発明の効果】
【００２２】
このように、本発明に係るインバータ一体型電動圧縮機によれば、設計の自由度を高く維持しつつ、回路部品の確実な固定により高い耐振性を実現可能であり、軽量化が容易な、動作安定性に優れたインバータ一体型電動圧縮機を低コストで実現可能である。
【図面の簡単な説明】
【００２３】
【図１】本発明の一実施態様に係るインバータ一体型電動圧縮機の概略縦断面図である。
【図２】図１に示したインバータ一体型電動圧縮機における収容空間形成部の概略斜視図を示しており、図２（Ａ）は樹脂フレーム装着前の状態を、図２（Ｂ）は樹脂フレーム装着後の状態を、それぞれ示している。
【図３】図１に示したインバータ一体型電動圧縮機における基板および樹脂フレームを示しており、図３（Ａ）は平面図を、図３（Ｂ）は側面図を、それぞれ示している。
【図４】図１に示したインバータ一体型電動圧縮機における凹部近傍の拡大断面図を示しており、図４（Ａ）は樹脂封入用空間に絶縁用樹脂が充填された例を、図４（Ｂ）は樹脂封入用空間に接着用樹脂が充填された例を、それぞれ示している。
【図５】図３に示した樹脂フレームの変形例を示しており、図５（Ａ）は平面図を、図５（Ｂ）は部分断面図を、それぞれ示している。
【図６】図３に示した樹脂フレームの変形例における凹部近傍の拡大断面図である。
【発明を実施するための形態】
【００２４】
以下に、本発明の望ましい実施の形態を、図面を参照して説明する。
図１は、本発明の一実施態様に係るインバータ一体型電動圧縮機を示しており、とくに、スクロール型電動圧縮機に本発明を適用した例を示している。図１において、インバータ一体型電動圧縮機１は、固定スクロール３および可動スクロール４からなる圧縮機構２を備えている。可動スクロール４は、ボールカップリング５を介して自転が阻止された状態で、固定スクロール３に対して旋回されるようになっている。圧縮機ハウジング（センターハウジング）６内には、モータ７が組み込まれており、この内蔵モータ７によって主軸８（回転軸）が回転駆動される。主軸８の一端側に配設された偏心ピン９、それに対して回転自在に係合された偏心ブッシュ１０を介して、主軸８の回転運動が可動スクロール４の旋回運動に変換されるようになっている。本実施態様では、被圧縮流体としての冷媒を吸入する吸入ポート１１が圧縮機ハウジング（フロントハウジング）１２に設けられており、吸入された冷媒は、モータ７配置部を通して圧縮機構２へと導かれ、圧縮機構２で圧縮された冷媒は、吐出孔１３、吐出室１４、圧縮機ハウジング（リアハウジング）１５に設けられた吐出ポート１６を通して外部回路に送られる。
【００２５】
上記圧縮機ハウジング１２（フロントハウジング）の延設部で囲まれることにより収容空間２０が形成されており、モータ駆動回路２１がこの収容空間２０内に設けられている。より詳しくは、収容空間２０内における、圧縮機ハウジング１２に形成された冷媒吸入経路側との仕切壁２２の外面側にモータ駆動回路２１が設けられている。モータ駆動回路２１は、仕切り壁２２を貫通させて取り付けられた密封端子２３（モータ駆動回路２１の出力端子）、リード線２４を介してモータ７に給電し、密封端子２３設置部では、冷媒吸入経路側とモータ駆動回路２１設置側とがシールされている。本実施態様においては、モータ駆動回路２１を仕切壁２２の外面側に設けることによって、仕切壁２２を介して、モータ駆動回路２１を含む電気部品の少なくとも一部が吸入冷媒と熱交換可能に構成されており、吸入冷媒によって冷却可能となっている。このように構成することにより、発熱しやすい電気部品（例えば、インバータ機能を有するモータ駆動用高電圧回路）を自動的に適切に冷却でき、モータ駆動回路２１の所定性能を維持できるとともに、別途冷却装置等を設ける必要がないため、構造の簡素化をはかることができる。なお、このような構成はスクロール型電動圧縮機のみに限定されず、被圧縮流体が冷媒であるあらゆる種類のインバータ一体型電動圧縮機に適用可能である。
【００２６】
モータ駆動回路２１は、インバータ機能を有するＩＰＭ（Ｉｎｔｅｌｌｉｇｅｎｔ  Ｐｏｗｅｒ  Ｍｏｄｕｌｅ）２５と、回路部品３０からなる制御回路を備えた基板２６を含んでおり、それとは別体にあるいは一体にコンデンサ２７等の電気部品が設けられている。このモータ駆動回路２１は、入力端子としてのコネクタ２８を介して外部電源（図示略）と接続される。これらモータ駆動回路２１を含む電気部品を実装した圧縮機ハウジング１２の外部への開口側は、蓋部材２９でシールされた状態で覆われており、これら電気部品が蓋部材２９により保護されている。
【００２７】
上記制御回路が備えられた基板２６には、回路部品の外形に沿って凹状に成形された凹部を備えた凹状保持部３２と、凹状保持部３２に設けられた通気孔３３とを有する樹脂フレーム３１が装着され、基板２６に備えられた回路部品３０と樹脂フレーム３１との間には、樹脂を充填可能な樹脂封入用空間３４が形成されている。この樹脂封入用空間３４への樹脂充填によって回路部品２６の振動が防止されるとともに、通気孔３３によって樹脂内における気泡の発生および残留が防止され、回路部品２６の固定が確実に達成される。また、樹脂封入用空間３４に充填され固化された樹脂および回路部品２６は、基板２６に装着された樹脂フレーム３１によって確実に固定される。
【００２８】
収容空間２０内においては、上記モータ駆動回路２１およびコンデンサ２７等の電気部品が配置され、樹脂フレーム３１が装着された後に、絶縁用樹脂３５が充填され、これらの実質的に全体が固化された絶縁用樹脂３５により密封される。絶縁用樹脂充填の範囲は、図示の如く、収容空間２０内の必要最小限の範囲内に納められ、圧縮機１全体の軽量化が図られている。また、上述の如く、樹脂フレーム３１の材料として絶縁用樹脂３５よりも密度の軽い素材を用いることにより、さらなる軽量化を達成することも可能である。
【００２９】
図２は、図１に示したインバータ一体型電動圧縮機における収容空間２０の概略斜視図を示しており、図２（Ａ）は樹脂フレーム３１が装着されていない状態を、図２（Ｂ）は樹脂フレーム３１が装着された状態を、それぞれ示している。図２（Ａ）において、収容空間２０内には、回路部品３０からなる制御回路が設けられた基板２６と、ノイズフィルタ３６とが配置されている。また、図２において基板２６の下に配置されているＩＰＭ２５は、ノイズフィルタ３６を介して外部電源と接続され、外部電源による信号線伝導性ノイズから保護されている。
【００３０】
図２（Ｂ）は、図２（Ａ）の基板２６に、回路部品３０の外形に沿って凹状に成形された凹部を備えた凹状保持部３２と、凹状保持部３２に設けられた通気孔３３とを有する樹脂フレーム３１が装着された状態を示している。樹脂フレーム３１は、図示の如く、回路部品３０を含む収容空間２０内の各部材の形状に対応して成形されているため、装着において他の部材が制約を受けることはなく、圧縮機の設計の自由度は従来通りの高い水準に維持される。
【００３１】
図３は、図１に示したインバータ一体型電動圧縮機において、基板２６に樹脂フレーム３１が装着された状態の概略を示しており、図３（Ａ）は樹脂フレーム３１が装着された基板２６の平面図を、図３（Ｂ）は側面図を、それぞれ示している。樹脂フレーム３１において、凹状保持部３２を形成する凹部３７は、実質的に基板上の回路部品３０ごとの外形に対応させて形成されている。また、複数の凹部３７のそれぞれには、樹脂注入孔として兼用可能な通気孔３３が設けられているので、各凹部３７に対応する樹脂封止用空間３４に対して確実に樹脂が充填されるとともに、樹脂封止用空間３４内における気泡の発生および残留が効果的に防止される。樹脂フレーム３１の表面には樹脂注入器具の位置決め用の孔３８が設けられ、樹脂封止用空間への樹脂注入工程が短時間で容易に実施可能となっている。さらに、樹脂フレーム３１および基板２６には締結部３９が設けられているので、樹脂フレーム３１は基板２６に対し、締結により固定された状態にて基板２６上に装着されることとなり、樹脂フレーム３１の所定位置からのずれが防止され、回路部品３０の固定が確実に達成される。
【００３２】
図４は、図３に示した基板２６の凹部３７近傍における概略断面図を示しており、とくに、基板２６に樹脂フレーム３１が装着された後、樹脂封入用空間３４および収容空間２０に樹脂が充填された例を示している。なお、図４（Ａ）は、収容空間２０内への絶縁用樹脂３５の充填とともに樹脂封入用空間３４内においても絶縁用樹脂３５が充填された場合を、図４（Ｂ）は、樹脂封入用空間３４に接着用樹脂４０が充填された後、収容空間２０に絶縁用樹脂３５が充填された場合を、それぞれ示している。図４（Ａ）において、凹部３７には樹脂注入孔として兼用可能な通気孔３３が設けられているので、樹脂封入用空間３４および収容空間２０への樹脂充填は同時に実施可能であり、樹脂充填工程の短縮およびコストダウンが可能となる。また、通気孔３３により、樹脂封入用空間３４および収容空間２０における気泡の発生もしくは残留が効果的に防止され、回路部品３０の固定が確実に達成される。
【００３３】
図４（Ｂ）において、樹脂封入用空間３４には、樹脂注入孔として兼用可能な通気孔３３を通じて接着用樹脂４０が充填される。接着用樹脂４０は、上述の如く、絶縁用樹脂３５と比較して高温領域における硬度の低下が緩やかであるから、高温時における回路部品３０の固定力が絶縁用樹脂３４と比較して高い水準に維持され、圧縮機１の動作安定性の向上が達成可能となる。また、凹部３７の基板対向面４１はほぼ基板２６に当接しているため、接着用樹脂４０が充填される樹脂封入用空間３４の範囲は回路部品３０近傍の領域に限定され、接着用樹脂４０の使用量が抑制されてコストダウンが図られるとともに、限定された領域に充填された接着用樹脂４０の接着力によって回路部品３０および樹脂フレーム３１が確実に固定される。
【００３４】
図５は、図３に示した樹脂フレーム３１の変形例としての樹脂フレーム４２を示し、図５（Ａ）は平面図、図５（Ｂ）は部分断面図である。樹脂フレーム４２において、凹状保持部４３を形成する凹部４４には、樹脂注入孔として兼用可能な通気孔４５が設けられており、凹部４４の上底面４６の内面には、通気孔４５に近づくほど樹脂封入用空間４７を縮小させるテーパ状部４８が形成されている。凹部４４の上底面４６に、このようなテーパ状部４８が形成されているために、各凹部４４に対応する樹脂封止用空間４７内から空気等のガスが抜けやすくなっており、充填樹脂内への気泡残留が確実に防止されている。
【００３５】
図６は、図３に示した基板２６の凹部４４近傍における概略断面図を示しており、とくに、基板２６に樹脂フレーム４２が装着された後、樹脂封入用空間４７および収容空間２０に樹脂が充填された例を示している。なお、図６は、収容空間２０内への絶縁用樹脂３５の充填とともに樹脂封入用空間４７内においても絶縁用樹脂３５が充填された場合を示している。図６において、凹部４４には樹脂注入孔として兼用可能な通気孔４５が設けられているので、樹脂封入用空間４７および収容空間２０への樹脂充填は同時に実施可能であり、樹脂充填工程の短縮およびコストダウンが可能となる。また、凹部４４の上底面４６の通気孔４５周辺に設けられたテーパ状部４８によって、樹脂封入用空間３４および収容空間２０における気泡の発生もしくは残留がより一層防止され、回路部品３０の固定がより確実に達成される。
【産業上の利用可能性】
【００３６】
本発明はあらゆる種類のインバータ一体型電動圧縮機に適用可能であり、とくに、優れた動作安定性および耐振性が要求され、設計の自由度に対する要求水準が高く、小型軽量化が要求される、車両空調装置用のインバータ一体型電動圧縮機として好適なものである。
【符号の説明】
【００３７】
１  インバータ一体型電動圧縮機
２  圧縮機構
３  固定スクロール
４  可動スクロール
５  ボールカップリング
６  圧縮機ハウジング（センターハウジング）
７  モータ
８  主軸
９  偏心ピン
１０  偏心ブッシュ
１１  吸入ポート
１２  圧縮機ハウジング（フロントハウジング）
１３  吐出孔
１４  吐出室
１５  圧縮機ハウジング（リアハウジング）
１６  吐出ポート
２０  収容空間
２１  モータ駆動回路
２２  仕切壁
２３  密封端子
２４  リード線
２５  ＩＰＭ
２６  基板
２７  コンデンサ
２８  コネクタ
２９  蓋部材
３０  回路部品
３１、４２  樹脂フレーム
３２、４３  凹状保持部
３３、４５  通気孔
３４、４７  樹脂封入用空間
３５  絶縁用樹脂
３６  ノイズフィルタ
３７、４４  凹部
３８  位置決め用の孔
３９  締結部
４０  接着用樹脂
４１  凹部の基板対向面
４６  凹部の上底面
４８  テーパ状部
【図１】
2010133400.tif 000003
【図２】
2010133400.tif 000004
【図３】
2010133400.tif 000005
【図４】
2010133400.tif 000006
【図５】
2010133400.tif 000007
【図６】
2010133400.tif 000008